【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
気泡がマイクロアレイ付近に溜まる可能性を減らす、マイクロアレイをアッセイするためのツールであって、
2つのクランプ
を備え、2つのクランプがそれぞれ、
マイクロアレイを備えるピラープレートを動かすために、プレートハンドリングロボットのリフト機構と係合するように構成されているツールマウント部分と、
ツールマウント部分に垂直な平面に対して0でない傾斜角の傾きでピラープレートを自由につり下げるように構成されている把持部分
を備える、ツール。
【請求項２】
各クランプの把持部分が2対の収容バーを備え、第1の対の収容バーが第1の垂直方向の幅で隔てられ、第2の対の収容バーが第2の垂直方向の幅で隔てられ、第1の垂直方向の幅が、予め規定された閾値距離の分だけ第2の垂直方向の幅より広く、ピラープレートが2つのクランプによって自由につり下げられている場合に0でない傾斜角をとる、請求項1記載のツール。
【請求項３】
2対の収容バーの上部収容バーが0でない傾斜角で並べられ、下部収容バーが、ツールマウント部分に垂直な平面に対して平行に並べられる、請求項2記載のツール。
【請求項４】
ピラープレートが2つのクランプによって自由につり下げられておらず、その代わりに、ウェルプレートの1つまたは複数のウェル内でアッセイ溶液に浮いている場合に、ピラープレートの平面がツールマウント部分に垂直な平面に対して平行に並ぶのを可能にするように2つのクランプの把持部分が構成されている、請求項1記載のツール。
【請求項５】
0でない傾斜角が、5°〜30°の範囲内である、請求項1〜4のいずれか1項に記載のツール。
【請求項６】
0でない傾斜角が、3°、4°、5°、6°、7°、8°、9°、10°、11°、12°、13°、14°、15°、16°、17°、18°、19°、20°、21°、22°、23°、24°、25°、26°、27°、28°、29°、または30°である、請求項1〜5のいずれか1項に記載のツール。
【請求項７】
0でない傾斜角が、30°より少ないかまたはこれに等しい、請求項1〜6のいずれか1項に記載のツール。
【請求項８】
0でない傾斜角が、45°より少ないかまたはこれに等しい、請求項1〜7のいずれか1項に記載のツール。
【請求項９】
請求項1〜4のいずれか一項記載のツールと、
ピラープレート
を備える、気泡がマイクロアレイ付近に溜まる可能性を減らす、マイクロアレイをアッセイするためのツールアセンブリであって、
ピラープレートが、ピラープレートからほぼ垂直に伸びている複数のピラーを備え、ピラープレートが上下反転されたときに、各マイクロアレイが少なくとも1つのピラーから移動しないように、1つまたは複数のマイクロアレイが少なくとも1つのピラーに付けられており、ピラープレートがピラープレートの両側に2つの突出端部をさらに備え、
突出端部が、ピラープレートをつり下げるためにクランプの把持部分と係合するように構成されている、ツールアセンブリ。
【請求項１０】
ピラープレートが2つのクランプによってつり下げられている場合に、2つの突出端部がそれぞれ両方とも、2つのクランプのうちの1つの2対の収容バーと別々に噛み合わされている、請求項9記載のツールアセンブリ。
【請求項１１】
ピラープレートが2つのクランプによって自由につり下げられている場合に、2つのクランプそれぞれの2対の収容バーの上部収容バーが、個々に、または組み合わせて、ピラープレートの噛み合わせられた突出端部に下向きの力を加えるように構成されている、請求項10記載のツールアセンブリ。
【請求項１２】
ピラープレートが2つのクランプによって自由につり下げられている場合に、第2の対の収容バーの下部収容バーが、ピラープレートの噛み合わせられた突出端部に上向きの力を加えるように構成されている、請求項10または11記載のツールアセンブリ。
【請求項１３】
ピラープレートが2つのクランプによって自由につり下げられていない場合に、2つの突出端部がそれぞれ両方とも、2つのクランプのうちの1つの2対の収容バーと別々に噛み合わされている、請求項9記載のツールアセンブリ。
【請求項１４】
ピラープレートの1つまたは複数のピラーが、ウェルプレートの1つまたは複数のウェル内にあるアッセイ溶液中で閾値深さ以上に浸漬されている場合に、ピラープレートがツールマウント部分に垂直な平面に対して平行に並ぶのを可能にするように2つのクランプが構成されている、請求項9記載のツールアセンブリ。
【請求項１５】
ピラープレートが2つのクランプによって自由につり下げられていない場合に、2つのクランプの対の収容バーの下部収容バーが、個々に、または組み合わせて、ピラープレートの噛み合わせられた突出端部に上向きの力を加えるように構成されている、請求項13記載のツールアセンブリ。
【請求項１６】
ピラープレートが2つのクランプによって自由につり下げられていない場合に、2つのクランプの第2の対の収容バーの上部収容バーが、ピラープレートの噛み合わせられた突出端部に下向きの力を加えるように構成されている、請求項13または15記載のツールアセンブリ。
【請求項１７】
ピラープレートのピラーの数が、24、96、384、および1536からなる群より選択される、請求項9〜16のいずれか1項に記載のツールアセンブリ。
【請求項１８】
0でない傾斜角が、5°〜30°の範囲内である、請求項9〜17のいずれか1項に記載のツールアセンブリ。
【請求項１９】
0でない傾斜角が、3°、4°、5°、6°、7°、8°、9°、10°、11°、12°、13°、14°、15°、16°、17°、18°、19°、20°、21°、22°、23°、24°、25°、26°、27°、28°、29°、または30°である、請求項9〜18のいずれか1項に記載のツールアセンブリ。
【請求項２０】
0でない傾斜角が、30°より少ないかまたはこれに等しい、請求項9〜19のいずれか1項に記載のツールアセンブリ。
【請求項２１】
0でない傾斜角が、45°より少ないかまたはこれに等しい、請求項9〜20のいずれか1項に記載のツールアセンブリ。
【請求項２２】
ピラープレートが、50平方センチメートルより大きい面積を有する、請求項9〜21のいずれか1項に記載のツールアセンブリ。
【請求項２３】
マイクロアレイが接着剤でピラーの上面に付けられている、請求項9〜22のいずれか1項に記載のツールアセンブリ。
【請求項２４】
接着剤が、エポキシ、可視光硬化性エポキシ、紫外線硬化性グルー、および熱硬化性グルーエポキシからなる群より選択される、請求項23記載のツールアセンブリ。
【請求項２５】
気泡がマイクロアレイ付近に溜まる可能性を減らす、マイクロアレイをアッセイするためのピラープレートであって、
第１の厚さを有するプレート支持体、
プレート支持体の両側から伸びている2つの突出端部であって、第１の厚さよりも小さい第2の厚さを有する2つの突出端部、および
上向きになっているプレート支持体からほぼ垂直に伸びている複数のピラー
を備え、ピラープレートが上下反転されたときに、各マイクロアレイが少なくとも1つのピラーから移動しないように、1つまたは複数のマイクロアレイが少なくとも1つのピラーに付けられており、
2つの突出端部が、2つのクランプの把持部分と同時に係合するように構成されている、ピラープレート。
【請求項２６】
ピラープレートのピラーの数が24、96、384、および1536からなる群より選択される、請求項25記載のピラープレート。
【請求項２７】
ピラープレートが50平方センチメートルより大きい面積を有する、請求項25または26記載のピラープレート。
【請求項２８】
マイクロアレイが接着剤でピラーの上面に付けられている、請求項25〜27のいずれか1項に記載のピラープレート。
【請求項２９】
接着剤が、エポキシ、可視光硬化性エポキシ、紫外線硬化性グルー、および熱硬化性グルーエポキシからなる群より選択される、請求項28記載のピラープレート。
【請求項３０】
気泡がマイクロアレイ付近に溜まる可能性を減らす、マイクロアレイをアッセイするためのツールアセンブリを使用する方法であって、以下の工程を含む、方法:
請求項9〜24のいずれか一項記載のツールアセンブリを準備する工程、
複数のウェルを備えるウェルプレートを準備する工程であって、ピラープレートが、クランプのツールマウント部分に垂直な平面に対して0でない傾斜角で傾けられ、マイクロアレイが、ウェルプレートの1つまたは複数のウェル内でアッセイ溶液と接触しているときに、各ウェルがピラープレートの1つのピラーを収容することができる、工程、
クランプのツールマウント部分に垂直な平面に対して0でない傾斜角で傾いた状態で、ツールアセンブリのピラープレートを自由につり下げる工程であって、ピラープレートが上下反転され、クランプのツールマウント部分がプレートハンドリングロボットのリフト機構と係合している間に、ピラープレートの突出端部とクランプの把持部分を噛み合わせることを含む、工程、ならびに
自由につり下げられたピラープレートをウェルプレートに近づけて、1つまたは複数のマイクロアレイをウェル内のアッセイ溶液と接触させることによって、ピラープレートの少なくとも1つのピラーに付けられた1つまたは複数のマイクロアレイをアッセイする工程。